(57)【特許請求の範囲】
【請求項１】
受け骨の枢支部を備えて中棒に摺動自在に案内される下ロクロを中棒の下方で固定して閉傘状態を維持させるための構造であって、
傘を閉じたときの下ロクロ下面の位置にて中棒に固定される下ロクロ固定部と、下ロクロの下方に設けられた吸着部と、を備え、
前記下ロクロ固定部と前記吸着部は、磁力による吸着と反発の切り換えが可能であり、前記下ロクロを下方へ摺動させて、前記下ロクロ固定部と前記吸着部とを吸着させると閉傘状態に固定され、磁力によって反発させると当該固定が解除され、
前記下ロクロ固定部は、前記吸着部に対向する上面がリング状に形成された永久磁石で、当該リングの中心を軸にして回転可能であるとともに、当該上面が放射状にＮ極とＳ極の複数の磁区に分割され、
前記吸着部は、前記下ロクロ固定部に対向する下面が当該下ロクロ固定部の上面形状に一致するリング状に形成された永久磁石で、リングの中心を軸として回転不能であるとともに、前記下ロクロ固定部における磁区の分割形状にほぼ一致するように、Ｎ極とＳ極の複数の磁区に分割され、
前記下ロクロ固定部を回転させることで、当該下ロクロ固定部の上面と吸着部との吸着と反発を切り換える、
ことを特徴とする傘における下ロクロ固定構造。
【請求項２】
請求項１において、下ロクロ固定部は、回転角度が前記磁区を区切る所定角度に限定されるとともに、吸着部と吸着状態にある回転位置を基準位置として、基準位置に復帰するように付勢され、吸着部に吸着している状態から、所定角度回転させると、吸着力が反発力に切り替わることを特徴とする傘における下ロクロ固定構造。
【請求項３】
受け骨の枢支部を備えて中棒に摺動自在に案内される下ロクロを中棒の下方で固定して閉傘状態を維持させるための構造であって、
傘を閉じたときの下ロクロ下面の位置にて中棒に固定される下ロクロ固定部と、下ロクロの下方に設けられた吸着部と、を備え、
前記下ロクロ固定部と前記吸着部は、磁力による吸着と反発の切り換えが可能であり、前記下ロクロを下方へ摺動させて、前記下ロクロ固定部と前記吸着部とを吸着させると閉傘状態に固定され、磁力によって反発させると当該固定が解除され、
前記吸着部は、前記下ロクロ固定部に対面する下面が所定の磁極に着磁された永久磁石であり、
前記下ロクロ固定部は、前記中棒に換装された中空筒状の磁性体コアにコイルを巻回してなる電磁石であり、
前記吸着部と前記磁性体コアは、前記電磁石が励磁されていないとき磁力による吸着が可能となり、
前記電磁石が傘に付属する電源により励磁されると、前記磁性体コアにおいて前記吸着部に面する円筒上面と、当該吸着部の下面とが同じ磁極となる、
ことを特徴とする傘における下ロクロ固定構造。
【発明の詳細な説明】
【技術分野】
【０００１】
この発明は、傘における下ロクロ固定構造に関し、具体的には、閉傘時に中棒に対して摺動可能な下ロクロを固定した状態で維持するための構造に関する。
【背景技術】
【０００２】
多くの傘は、使用時に傘布を展開した状態で固定する機構に加え、未使用時には、傘布を畳んだ状態で固定する機構も備えている。図１０（Ａ）（Ｂ）に一般的な傘の開傘機構と閉傘機構について、その概略を示した。基本的な開傘および閉傘機構では、いずれも、受け骨４の枢支部を備えて中棒２に案内されて摺動する中空筒状の下ロクロ１をハジキ（６，９）で固定する構造を採用している。
【０００３】
（Ａ）は、開傘機構の概略である。傘は、中棒２に固定されるとともに親骨３の枢支部を備えた上ロクロ５と、受け骨４の枢支部を備えて中棒２に案内されて摺動する中空筒状の下ロクロ１とからなるロクロ構造を備え、下ロクロ１は、傘を開くときに人が手に持って当該下ロクロ１を上下方向へ摺動させるための略円筒状をなす把持部７を一体的に備えている。中棒２の上方には、当該中棒２内に出没可能なハジキ（上ハジキ）６が内蔵されている。上ハジキ６は、上端を水平な底辺とする略三角形状の薄いプレートで、中棒２内にあるバネによって突出方向へ付勢されている。
【０００４】
開傘時に下ロクロ１を上方へ摺動させると、上ハジキ６は、突出状態から一旦、下ロクロ１の筒内壁により押圧されて中棒２内に収納されたのち、下ロクロ１をさらに上方へ摺動させると、筒内壁による圧力より開放され、下ロクロ１の下方にて突出し、その上端辺が下ロクロ１の下端に当接する。それによって、下ロクロ１の下方への摺動動作を不能にし、開傘状態を維持させる。
【０００５】
（Ｂ）は、閉傘機構の概略である。把持部７の側面には縦長矩形状の穴８が画成されており、中棒２の閉傘時におけるこの穴８に対応する位置には、上ハジキ６と同様のハジキ（下ハジキ）９が内蔵されている。下ハジキ９は、下端を水平な底辺とする略三角形状の薄いプレートで、中棒２内にあるバネによって突出方向へ付勢されている。そして、閉傘時に下ロクロ１を下方へ摺動させると、下ハジキ９は、突出状態から一旦、下ロクロ１の筒内壁により押圧されて中棒２内に収納されたのち、下ロクロ１をさらに下方へ摺動させると、筒内壁による圧力より開放され、下ロクロ１の矩形穴８より突出し、その底辺が矩形穴８の下端に当接する。それによって、下ロクロ１の上方への摺動動作を不能にし、閉傘状態を維持させる。
【発明の開示】
【発明が解決しようとする課題】
【０００６】
本発明が対象とするのは、傘を閉じた状態で維持させる際の下ロクロ固定構造である。従来の下ロクロ固定構造では、閉じた状態にある傘を開くとき、下ハジキを指先の腹でバネに抗して中棒内に押し込む。このとき、薄いプレートの端面が指先の腹に食い込み、痛みを感じることがある。下ハジキは、中棒内にバネを収納する構造のため、バネが中棒内で引っかかるなどして、下ハジキが出没不能となる不良が発生することがある。経年変化による錆や変形などによって出没不能になることもある。このように、下ハジキを必要とするロクロ構造自体に問題がある。
【０００７】
確かに、開傘状態を維持するためには、上ハジキを用いた下ロクロ構造は有効であると言える。すなわち、開傘状態を維持する下ロクロ構造では、傘布が閉じようとする抗力を受け止めるために、より強固な力で下ロクロを固定する必要があるからである。しかし、閉傘状態に維持するための下ロクロ固定構造は、露先が開かない程度に下ロクロを固定すればよく、下ハジキを用いた複雑な構造は、省略可能であれば、それが望ましい。また、中棒における下ハジキの出没穴の部分では当然強度が低下するため、強度不足を生じる箇所は可能な限り少ない方がよい。さらに、開傘状態では、傘布が展開している上方に重量が集中して傘の重心の位置が中棒上方となり、特に、強風時などでは傘を差す手が支点となるため、中棒には、その下方により大きな力が掛かることになる。そのため、中棒下方の下ハジキの出没穴の部分で中棒が折れる可能性がある。現に、中棒が折れるときは、この下ハジキの出没穴の部分であることが多い。
【０００８】
本発明は、傘において、下ハジキを用いて下ロクロを固定して閉傘状態を維持する構造に依拠する種々の問題に鑑みなされたものであり、その目的は、傘において、下ハジキを用いずに下ロクロを固定して閉傘状態を維持する構造を提供することにある。
【課題を解決するための手段】
【００１０】
上記目的を達成するための本発明は、受け骨の枢支部を備えて中棒に摺動自在に案内される下ロクロを中棒の下方で固定して閉傘状態を維持させるための構造であって、
傘を閉じたときの下ロクロ下面の位置にて中棒に固定される下ロクロ固定部と、下ロクロの下方に設けられた吸着部と、を備え、
前記下ロクロ固定部と前記吸着部は、磁力による吸着と反発の切り換えが可能であり、前記下ロクロを下方へ摺動させて、前記下ロクロ固定部と前記吸着部とを吸着させると閉傘状態に固定され、磁力によって反発させると当該固定が解除され、
前記下ロクロ固定部は、前記吸着部に対向する上面がリング状に形成された永久磁石で、当該リングの中心を軸にして回転可能であるとともに、当該上面が放射状にＮ極とＳ極の複数の磁区に分割され、
前記吸着部は、前記下ロクロ固定部に対向する下面が当該下ロクロ固定部の上面形状に一致するリング状に形成された永久磁石で、リングの中心を軸として回転不能であるとともに、前記下ロクロ固定部における磁区の分割形状にほぼ一致するように、Ｎ極とＳ極の複数の磁区に分割され、
前記下ロクロ固定部を回転させることで、当該下ロクロ固定部の上面と吸着部との吸着と反発を切り換える、傘における下ロクロ固定構造としている。
【００１１】
さらに、下ロクロ固定部は、回転角度が前記磁区を区切る所定角度に限定されるとともに、吸着部と吸着状態にある回転位置を基準位置として、基準位置に復帰するように付勢され、吸着部に吸着している状態から、所定角度回転させると、吸着力が反発力に切り替わるように構成してもよい。
【００１２】
あるいは、傘を閉じたときの下ロクロ下面の位置にて中棒に固定される下ロクロ固定部と、下ロクロの下方に設けられた吸着部と、を備え、
前記下ロクロ固定部と前記吸着部は、磁力による吸着と反発の切り換えが可能であり、前記下ロクロを下方へ摺動させて、前記下ロクロ固定部と前記吸着部とを吸着させると閉傘状態に固定され、磁力によって反発させると当該固定が解除され、
前記吸着部は、前記下ロクロ固定部に対面する下面が所定の磁極に着磁された永久磁石であり、
前記下ロクロ固定部は、前記中棒に換装された中空筒状の磁性体コアにコイルを巻回してなる電磁石であり、
前記吸着部と前記磁性体コアは、前記電磁石が励磁されていないとき磁力による吸着が可能となり、
前記電磁石が傘に付属する電源により励磁されると、前記磁性体コアにおいて前記吸着部に面する円筒上面と、当該吸着部の下面とが同じ磁極となる、
ことを特徴とする傘における下ロクロ固定構造。
【発明の効果】
【００１３】
本発明のロクロ構造によれば、磁力により下ロクロを固定する構造を採用することで、ハジキを不要とし、ハジキ操作時の指の損傷や、ハジキの出没不良による傘の機能不全をなくすことができるとともに、開傘時における中棒下方の強度を確保し、強風などによって中棒が折れる可能性を少なくすることができる。
【発明を実施するための最良の形態】
【００１４】
本発明における下ロクロ固定構造を採用した傘の基本的な構造は、従来と同様に、親骨の枢支部を備えて中棒の上端に固定される上ロクロと、受け骨の枢支部を備えて上ロクロの下方にて中棒に摺動自在に案内される下ロクロとを備え、下ロクロを中棒上部で固定することで、開傘状態に固定する。本発明においては、開傘状態を維持するための下ロクロ固定機構については言及せず、本発明における以下の各実施例においては、図１０に示した構造で下ロクロを固定して開傘状態を維持するものとする。
【００１５】
＝＝＝第１の実施例＝＝＝
図１に本発明の第１の実施例に係る下ロクロ固定構造を採用した傘の閉状態を示した。また図２に当該下ロクロ固定構造の概略図を示した。なお、説明を容易にするために、図２では、閉傘状態から僅かに傘を開いている状態を示した。第１の実施例における下ロクロ固定構造は、下ロクロ１の下端面に設けられた磁性体からなる吸着部１１と、中棒２の下方において、傘を閉じたときの吸着部１１下面の位置に環装・固定された扁平な中空筒状の磁性体からなる下ロクロ固定部１２とからなる。吸着部１１と下ロクロ固定部１２の少なくとも一方は磁化されており、一方のみが磁化されていれば双方が磁力により吸着可能となる。双方が磁化されている場合には吸着部１１の下面と下ロクロ固定部１２の下面１３とが異極となるように磁化されて双方が吸着可能となる。
【００１６】
第１の実施例では、中空円筒状の永久磁石を吸着部１１とし、その吸着部１１に下ロクロ１の外観をなし、把持部７を形成する中空円筒状の樹脂成型体を環装するとともに、筒状磁石１１の下端面を下ロクロ１の下端面にドーナツ状に露出させている。また、当該吸着部１１の下面とほぼ同形の磁化されていない磁性体からなるリング１２を中棒２の下方において、傘のハンドル３０の上面上方に環装・固定し、これを下ロクロ固定部１２としている。
【００１７】
以上の下ロクロ固定構造により、傘を閉じた状態では、下ロクロ１の下端面に露出する筒状磁石からなる吸着部１１の下面が下ロクロ固定部１２の上面に当接して吸着部１１と下ロクロ固定部１２とが磁力によって吸着し、傘が閉じた状態で保持される。それによって、下ハジキが無くても、あるいは、傘布４０に縫いつけられたネーム布（バンド）で結束しなくても、露先５０が開かず、傘を閉じた状態で固定することができ、例えば、雨天において屋内に傘を携行するときでも、下ハジキの無い傘をいちいちバンドで結束しなくても、露先５０が開かずに便利である。また、バンドを結束するときに傘布４０についた雨滴で手が濡れることもない。
【００１８】
＝＝＝第２の実施例＝＝＝
図３（Ａ）（Ｂ）に本発明の第２の実施例に係る下ロクロ固定構造の概略を示した。この図３でも傘が僅かに開いている状態における下ロクロ固定構造を示した。当該第２の実施例における基本構成（Ａ）は、第１の実施例とほぼ同様の構成であるが、吸着部１１と下ロクロ固定部１２の双方を永久磁石とし、さらに、（Ｂ）に示すように、これらが互いに対向する面（２１，２２）が、それぞれ、放射状に複数の磁区（２３，２４）に分割されている点が異なる。吸着部１１と下ロクロ固定部１２における磁区（２３，２４）は、等角度間隔となるように形成され、この例では、９０゜間隔ずつ、４つの磁区（２３，２４）に分割されている。また、下ロクロ固定部１２は、中棒２を軸として回転可能であり、吸着部１１と下ロクロ固定部１２の磁区を異極同士で対面させれば双方が吸着し、閉傘状態が維持される。下ロクロ固定部１２をこの状態から９０゜回転させると、吸着部１１と下ロクロ固定部１２は反発し合い、閉傘状態から開放される。そして、下ロクロ１を上方に摺動させれば傘が開く。
【００１９】
図４に、下ロクロ固定部１２の具体的な回転機構を例示した。この図４では、閉傘状態における下ロクロ固定構造を示した。下ロクロ固定部１２は、中棒２に回転可能に取り付けられた下ロクロ１の把持部７と同様にして下ロクロ固定部１２に環装される樹脂成形体（下把持部）３３の上面にリング状の永久磁石３２を埋設してなっている。また、中棒２には、下把持部３３が環装されている領域に突起や外周を巡るフランジなどを設けてこれをガイド３４とする。そして、下把持部３３の中棒２に接する内壁面に、このガイド３４を案内する溝３５を画成する。それによって、下把持部３３とそれに埋設された永久磁石３２からなる下ロクロ固定部１２は、溝３５に収容されたガイド３４によって上下への摺動を制限されつつ、中棒２に対して回転可能となる。
【００２０】
また、下把持部３３を持って下ロクロ固定部１２を回転させた際、磁区２４と同じ角度間隔毎に回転動作を一時停止できるような回転動作一時停止機能を備えていてもよい。図５（Ａ）〜（Ｄ）に、その回転動作一時停止機構の一例を示した。（Ａ）（Ｂ）は、それぞれ、当該回転動作一時停止機能を備えた下ロクロ固定部１２の側断面図と、当該側断面図におけるａ−ａ面での平断面図である。（Ｃ）は、当該回転機構による回転停止角度と下ロクロ固定部１２における永久磁石の磁区２４との関係図であり、（Ｄ）は、下ロクロ固定部１２の永久磁石の磁区２４と、吸着部１１となる永久磁石の磁区２３との関係図である。この例では、中棒２の外周に形成される先のガイドを半球状の突起３４ｂとし、その突起３４ｂが磁区と同じ等角度間隔で設けられている。また、下把持部３３内壁の先の溝３５の底には、上面に凹部３５ａが形成された低い台状の凸部３５ｂを磁区２４と同じ等角度間隔で設ける。それによって、下把持部３３を回転させた際、中棒２の突起３４ｂ先端がこの台３５ｂに乗り上げその上面の凹部３５ａに落ち込み、回転動作が一時的に停止される。そして、この停止状態において、吸着部１１の各磁区２３と下ロクロ固定部１２の各磁区２４が正しく対面するようにする（Ｄ）。この構造により、下把持部３３を回転させる人は、凹部３５ａに中棒の突起が落ち込む感触によって、下ロクロ固定部と吸着部が異極、あるいは同極同士が対面していることを認知することができ、そして、下ロクロ固定部と吸着部が中途半端な回転角度で対面して不完全な状態で吸着し、閉傘状態にある傘が容易に開いてしまうことを防止できる。
【００２１】
あるいは、下把持部３３において、下ロクロ固定部１２と吸着部１１とが異極同士で対面する回転位置を基準位置とし、下把持部３３を基準位置から回転させると、その基準位置に自動復帰するような機能を備えていてもよい。図６（Ａ）と（Ｂ）に、その復帰機能の一例における側面図と平面図とを示した。この例では、中棒２の周囲に巻回されたスプリング３６の一端３６ａが中棒２に固定され、他端３５ｂが下把持部３３の下端面３３ａに固定されている。スプリング３６の固定状態は、スプリング３６に応力が掛かってない状態で、かつ、下把持部３３の回転位置が基準位置にあるときにスプリング３６の他端３６ｂが下把持部３３の下端面３３ａに固定されるようにしている。図７に当該復帰機構の動作を示した。スプリング３６に応力が係っていない初期状態（Ａ）では、下ロクロ固定部１２の永久磁石３２の磁区２４と吸着部１１の磁区２３とが互いに異極同士となり、双方が吸着し、閉傘状態が維持される。この状態から下把持部３３を持って回転させると、スプリング３６に応力が掛かりつつ、磁区２４の回転位置が変わる。そして、双方の磁区が同極同士で対面するまで回転させると、下ロクロ固定部１２の永久磁石３２と吸着部１１とが反発し閉傘状態が解除される。下把持部３３を持つ手を開放すると、スプリング３６は応力が係らない状態に復帰し、下把持部が基準位置に復帰する（Ｃ）。
【００２２】
もちろん、下ロクロ固定部１２がなめらかに回転できるのであれば、回転動作一時停止機能や、基準位置復帰機能は無くてもよい。すなわち、吸着部１１が接近すると、下ロクロ固定部１２が磁力によってこれと吸着するように自然に回転し、吸着部１１が下ロクロ固定部１２における磁性体面に当接するときには、すでに異極同士が対面して吸着可能な状態となる。
【００２３】
＝＝＝第３の実施例＝＝＝
本発明の下ロクロ固定構造に係る第３の実施例は、下ロクロ固定部１２に電磁石を用いたものである。しかし、閉傘時に電磁石を用いて吸着部１１と下ロクロ固定部１２とを吸着させていたのでは、電源となる電池がすぐに消耗する。そこで、第３の実施例では、下ロクロ固定部１２を電磁石とし、吸着部１１を永久磁石とし、電磁石は吸着状態を解除するときにのみ作動させるようにしている。
【００２４】
図８に第３の実施例に係る下ロクロ固定構造の概念を示した。吸着部１１の下ロクロ固定部１２に対向する面２１は所定の極（ここでは、Ｓ極とする）に着磁されており、下ロクロ固定部１２は、磁性体コア３７に導線３８を巻回してなる電磁石３８である。そして導線３８の巻回方向は、電源３９より導線３８に通電して電磁石を作動させたとき、下ロクロ固定部１２と吸着部１１のそれぞれ対向する面（２１，２２）が同極（Ｓ極）となるように電流が流れるようにしている。それによって、電磁石を作動させていないときには（Ａ）、吸着部１１と下ロクロ固定部１２の磁性体コア３７との間に吸着力が発生し、下ロクロ１を中棒２に対して下方に摺動させて吸着部１１の下面２１を下ロクロ固定部１２の上面２２において露出する磁性体コア３７の上端面とを当接させると、吸着部１１が磁性体コア３７に吸着し、閉傘状態が維持される。一方、導線３８に通電して電磁石を励磁させると（Ｂ）、吸着部１１と下ロクロ固定部１２とが同極同士で対面することになり反発力に転換し、双方が吸着状態にあれば、それが解除される。なお、電源３９となる電池は、例えば、ハンドル３０に電池ボックスを設けるなどして収納すればよい。そして、電源３９と電磁石間の配線は、中棒２内を通して所定の位置から中棒２に穴を穿設して外部へ案内し、双方を接続すればよい。
【００２５】
＝＝＝その他の実施例＝＝＝
上記各実施例では、吸着部と下ロクロ固定部とは、面同士を磁力により吸着していた。これらの例に限らず、互いに勘合する形状であってもよい。例えば、図９に示すように、下ロクロ固定部１１における磁性体を円筒状磁石３２ａとし、吸着部１１を円筒状磁石３２ａが挿入される中空筒状の着磁されていない磁性体で構成してもよい。それによって、円筒状磁石３２ａの側面と吸着部１１の円筒内壁面との間にも吸着力が働き、閉傘時において、より強固に吸着部１１と下ロクロ固定部１２とを吸着させることができる。
【図面の簡単な説明】
【００２６】
【図１】本発明の第１の実施例における下ロクロ固定構造を採用した傘が開傘状態にあるときの要部斜視図である。
【図２】上記第１の実施例における下ロクロ固定構造の概略図である。
【図３】本発明の第２の実施例における下ロクロ固定構造の概略図である。
【図４】上記第２の実施例における下ロクロ固定部の回転機構の一例を示す概略図である。
【図５】上記第２の実施例の変形例として、上記回転機構に回転動作一時停止機能を備えさせた例を示す概略図である。
【図６】上記第２の実施例の変形例として、上記回転機構に基準位置復帰機能を備えさせた例を示す概略図である。
【図７】上記回転機構に基準位置復帰機能の動作説明図である。
【図８】本発明の第３の実施例における下ロクロ固定構造の概略図である。
【図９】本発明のその他の実施例における下ロクロ固定構造の概略図である。
【図１０】従来の下ロクロ固定構造を採用した傘の要部斜視図である。
【符号の説明】
【００２７】
１  下ロクロ
２  中棒
３  親骨
４  受け骨
５  上ロクロ
１１  吸着部
１２  下ロクロ固定部
３０  ハンドル
４０  傘布
【図１】
0005173352.tif 000002
【図２】
0005173352.tif 000003
【図３】
0005173352.tif 000004
【図４】
0005173352.tif 000005
【図５】
0005173352.tif 000006
【図６】
0005173352.tif 000007
【図７】
0005173352.tif 000008
【図８】
0005173352.tif 000009
【図９】
0005173352.tif 000010
【図１０】
0005173352.tif 000011